(57)【要約】【発明の要旨】このDC-DC変換器は、１つ以上の電力スイッチ、電力スイッチ用制御パルスを発生するパルス幅変調回路、及び電力スイッチに接続された出力インダクタを含む。熱補償電流センサーは温度依存パラメータ非線形性を示す固有電流感知素子に接続される。熱補償電流センサーは、電流の流れを測定するのに使用する固有電力変換器素子の温度係数に一致する温度係数を有し、従って電流測定を線形化する。また、電流帰還ループ回路は熱補償電流センサーに応答して電力スイッチを制御するようにパルス幅変調回路と協働する。
2005500795.tif 000002
【特許請求の範囲】
【請求項１】
少なくとも１つの電力スイッチ、
前記少なくとも１つの電力スイッチ用の制御パルスを発生するパルス幅変調回路、
前記少なくとも１つの電力スイッチに接続された出力インダクタ、
前記出力インダクタに接続され前記出力インダクタの電流を感知する熱補償電流センサーであって、前記出力インダクタの温度係数に一致する温度係数を有する前記熱補償電流センサー、及び
前記熱補償電流センサーに応答して前記少なくとも１つの電力スイッチを制御するように前記パルス幅変調回路と協働する電流帰還ループ回路を含むことを特徴とするDC-DC変換器。
【請求項２】
前記少なくとも１つの電力スイッチは少なくとも１つの電界効果型トランジスタを含むことを特徴とする請求項１記載のDC-DC変換器。
【請求項３】
前記少なくとも１つの電力スイッチは一緒に接続された低側電界効果型トランジスタと高側電界効果型トランジスタとを含むことを特徴とする請求項１記載のDC-DC変換器。
【請求項４】
前記少なくとも１つの電力スイッチは一緒に接続された低側電力スイッチと高側電力スイッチとを含むことを特徴とする請求項１記載のDC-DC変換器。
【請求項５】
前記熱補償電流センサーは前記出力インダクタと並列に接続されており、直列に接続された抵抗器とキャパシタとを含むことを特徴とする請求項１記載のDC-DC変換器。
【請求項６】
前記熱補償電流センサーの前記抵抗器は正温度係数抵抗器を含むことを特徴とする請求項５記載のDC-DC変換器。
【請求項７】
少なくとも１つの電力スイッチ、
前記少なくとも１つの電力スイッチ用の制御パルスを発生するパルス幅変調回路、
前記少なくとも１つの電力スイッチに接続された出力インダクタ、
前記少なくとも１つの電力スイッチに接続され前記出力インダクタを伝導する電流に関係する感知電流を提供する熱補償電流センサーであって、前記少なくとも１つの電力スイッチのオン抵抗の温度係数に一致する温度係数を有する前記熱補償電流センサー、及び
前記熱補償電流センサーに応答して前記少なくとも１つの電力スイッチを制御するように前記パルス幅変調回路と協働する電流帰還ループ回路を含むことを特徴とするDC-DC変換器。
【請求項８】
前記少なくとも１つの電力スイッチは少なくとも１つの電界効果型トランジスタを含むことを特徴とする請求項７記載のDC-DC変換器。
【請求項９】
前記少なくとも１つの電力スイッチは一緒に接続された低側電界効果型トランジスタと高側電界効果型トランジスタとを含むことを特徴とする請求項７記載のDC-DC変換器。
【請求項１０】
前記少なくとも１つの電力スイッチは一緒に接続された低側電力スイッチと高側電力スイッチとを含むことを特徴とする請求項７記載のDC-DC変換器。
【請求項１１】
前記熱補償電流センサーは前記少なくとも１つの電力スイッチと前記電流帰還ループ回路間に接続され、前記熱補償電流センサーは抵抗器を含むことを特徴とする請求項７記載のDC-DC変換器。
【請求項１２】
前記熱補償電流センサーの前記抵抗器は正温度係数抵抗器を含むことを特徴とする請求項１１記載のDC-DC変換器。
【請求項１３】
少なくとも第１と第２のチャネルを含む多位相DC-DC変換器であって、各チャネルは、
一緒に接続された低側電力スイッチと高側電力スイッチとを有する電力装置、
前記電力装置用の制御パルスを発生するパルス幅変調回路、
前記電力装置に接続された出力インダクタ、
前記電力装置に接続され前記出力インダクタを伝導する電流に関係する感知電流を提供する熱補償電流センサーであって、前記低側電力スイッチのオン抵抗の温度係数に一致する温度係数を有する前記熱補償電流センサー、及び
前記熱補償電流センサーに応答して前記電力装置を制御するように前記パルス幅変調回路と協働する電流帰還ループ回路を含むことを特徴とする多位相DC-DC変換器。
【請求項１４】
前記電力スイッチの各々は電界効果型トランジスタを含むことを特徴とする請求項１３記載の多位相DC-DC変換器。
【請求項１５】
前記熱補償電流センサーは前記電力装置と前記電流帰還ループ回路間に接続され、前記熱補償電流センサーは抵抗器を含むことを特徴とする請求項１３記載の多位相DC-DC変換器。
【請求項１６】
前記熱補償電流センサーの前記抵抗器は正温度係数抵抗器を含むことを特徴とする請求項１５記載の多位相DC-DC変換器。
【請求項１７】
少なくとも第１と第２のチャネルを含む多位相DC-DC変換器であって、各チャネルは、
一緒に接続された低側電力スイッチと高側電力スイッチとを有する電力装置、
前記電力装置用の制御パルスを発生するパルス幅変調回路、
前記電力装置に接続された出力インダクタ、
前記電力装置に接続され前記出力インダクタを伝導する電流に比例する感知電流を提供する電流センサー、
前記電流センサーに応答して前記電力装置を制御するように前記パルス幅変調回路と協働する電流帰還ループ回路、及び
前記少なくとも第１と第２のチャネルの各々の前記パルス幅変調回路の入力と出力端子間に接続された帰還抵抗回路網であって、前記少なくとも第１と第２のチャネルの前記電力装置の前記低側電力スイッチのオン抵抗の温度係数に一致する温度係数を有する負温度係数抵抗器を含む前記帰還抵抗回路網を含むことを特徴とする多位相DC-DC変換器。
【請求項１８】
前記電力スイッチの各々は電界効果型トランジスタを含むことを特徴とする請求項１７記載の多位相DC-DC変換器。
【請求項１９】
少なくとも１つの電力スイッチ、前記少なくとも１つの電力スイッチ用の制御パルスを発生するパルス幅変調回路、前記少なくとも１つの電力スイッチに接続された出力インダクタ、及び前記少なくとも１つの電力スイッチを制御するように前記パルス幅変調回路と協働する電流帰還ループ回路を含むDC-DC変換器の調整方法であって、
前記出力インダクタに接続された熱補償電流センサーを使用してインダクタを通る電流を感知する工程、前記熱補償電流センサーは前記出力インダクタの温度係数に一致する温度係数を有する、及び
前記熱補償電流センサーに応答して前記少なくとも１つの電力スイッチを制御するように前記電流帰還ループ回路を動作する工程を含むことを特徴とするDC-DC変換器の調整方法。
【請求項２０】
前記少なくとも１つの電力スイッチは少なくとも１つの電界効果型トランジスタを含むことを特徴とする請求項１９記載のDC-DC変換器の調整方法。
【請求項２１】
前記少なくとも１つの電力スイッチは一緒に接続された低側電界効果型トランジスタと高側電界効果型トランジスタとを含むことを特徴とする請求項１９記載のDC-DC変換器の調整方法。
【請求項２２】
前記熱補償電流センサーは前記出力インダクタと並列に接続されており、直列に接続された抵抗器とキャパシタとを含むことを特徴とする請求項１９記載のDC-DC変換器の調整方法。
【請求項２３】
前記熱補償電流センサーの前記抵抗器は正温度係数抵抗器を含むことを特徴とする請求項２２記載のDC-DC変換器の調整方法。
【請求項２４】
少なくとも１つの電力スイッチ、前記少なくとも１つの電力スイッチ用の制御パルスを発生するパルス幅変調回路、前記少なくとも１つの電力スイッチに接続された出力インダクタ、及び前記少なくとも１つの電力スイッチを制御するように前記パルス幅変調回路と協働する電流帰還ループ回路を含むDC-DC変換器の調整方法であって、
前記少なくとも１つの電力スイッチに接続された熱補償電流センサーを使用して出力インダクタを伝導する電流に関係する感知電流を提供する工程、前記熱補償電流センサーは前記少なくとも１つの電力スイッチのオン抵抗の温度係数に一致する温度係数を有する、熱補償電流センサーに応答して少なくとも１つの電力スイッチを制御する、及び
前記熱補償電流センサーに応答して前記少なくとも１つの電力スイッチを制御するように前記電流帰還ループ回路を動作する工程を含むことを特徴とするDC-DC変換器の調整方法。
【請求項２５】
前記少なくとも１つの電力スイッチは少なくとも１つの電界効果型トランジスタを含むことを特徴とする請求項２４記載のDC-DC変換器の調整方法。
【請求項２６】
前記少なくとも１つの電力スイッチは一緒に接続された低側電界効果型トランジスタと高側電界効果型トランジスタとを含むことを特徴とする請求項２４記載のDC-DC変換器の調整方法。
【請求項２７】
前記熱補償電流センサーは前記少なくとも１つの電力スイッチと前記電流帰還ループ回路間に接続され、前記熱補償電流センサーは抵抗器を含むことを特徴とする請求項２４記載のDC-DC変換器の調整方法。
【請求項２８】
前記熱補償電流センサーの前記抵抗器は正温度係数抵抗器を含むことを特徴とする請求項２７記載のDC-DC変換器の調整方法。
【発明の詳細な説明】
【関連する出願】
【０００１】
この出願は、２００１年８月２１日に申請された同時係属仮出願第６０／３１３、９８６号に基づく。
【技術分野】
【０００２】
本発明は、電子回路の分野、より詳細には、ＤＣ／ＤＣ変換器及び関連した方法に関するものである。
【背景技術】
【０００３】
典型的に、DC-DC変換器は電流の流れ情報を使用し付加価値機能と特徴を提供する。例えば、過負荷中に電流を制限することは安全として一般に行われている。斯かる電流制限は出力電流制限レベルに比例する信号を使用する。出力と負荷との間に挿入した抵抗器は、所望の温度非依存性帰還信号を発生できよう。しかしながら、このセンサーの抵抗は電力散逸と信号振幅との間の得失評価を受ける。典型的に、電流制限信号レベルは、ノイズフロアよりかなり上である約0.1Vである。感知抵抗器の電力散逸はこの制限レベルの負荷電流に比例する。高電流レベルでは、電力散逸が過度になり得る。
【０００４】
感知抵抗器を除去することはDC-DC変換器の効率を改善する。追加抵抗素子の代わりに、電力変換器部品内の固有素子を使用して電流の流れを測定する。例えば、Walters等による「インダクタ電流感知を使用するDC-DC変換器及び関連する方法」米国特許第5,982,160号は、インダクタの電流の流れ情報を抵抗器-キャパシタ回路網間電圧として再生成できる。この方法は電流感知素子としてのインダクタ巻線の固有抵抗を使用する。
【０００５】
電流感知抵抗器を除去する別の方法は、変換器のスイッチングMOSFETsの一つのMOSFETの殆ど一定のオン抵抗の電圧降下を測定することである。この方法はMOSFETの伝導間隔中の電圧降下をサンプリングして電流の流れ情報を再生成する。これらの両方法とも主要な電力変換器部品を電流感知素子として利用し、電力路の散逸素子の使用を避ける。
【０００６】
上記例の固有電流感知方法は、単に実際の電流の流れを近似できるのみである。これらの方法は、電流感知抵抗器と比べ精度が悪い。例えば、インダクタの巻線の抵抗を電流感知素子として利用することは、初期許容誤差と温度による変動の両方を受ける。インダクタの巻線の初期抵抗は、特定の製造手順ばかりでなく巻線のワイヤの長さと直径に依存して変動する。この同ワイヤの抵抗は温度の関数として増加する。従って、再生成した電圧信号は電流の流ればかりでなくインダクタの巻線の機械的許容誤差と温度の関数になる。
【０００７】
従って、上述の背景を鑑みて、本発明の目的は、スイッチングDC-DC変換器において低電力散逸を提供するとともに、熱補償を有する電流情報を正確に測定して処理することにある。
【０００８】
本発明のこの目的と他の目的、特徴及び利益は、１つ以上の電力スイッチ、電力スイッチ用制御パルスを発生するパルス幅変調回路、及び電力スイッチと出力端子間に接続された出力インダクタを含むDC-DC変換器により提供される。熱補償電流センサーは出力インダクタに接続され出力インダクタの電流を感知する。熱補償電流センサーは出力インダクタの温度係数に一致する温度係数を有する。また、電流帰還ループ回路は熱補償電流センサーに応答して電力スイッチを制御するようにパルス幅変調回路と協働する。
【０００９】
電力スイッチは、一緒に接続された低側電界効果型トランジスタと高側電界効果型トランジスタを含むことが好ましい。熱補償電流センサーは出力インダクタと並列に接続され、直列に接続された抵抗器とキャパシタを含んでも良い。熱補償電流センサーの抵抗器は、正温度係数抵抗器であっても良い。
【００１０】
別の方法では、熱補償電流センサーを少なくとも１つの電力スイッチに接続し出力インダクタを伝導する電流に比例する感知電流を提供する。ここで、熱補償電流センサーは電力スイッチのオン抵抗の温度係数に一致する温度係数を有する。また、この実施形態では、熱補償電流センサーは電力スイッチと電流帰還ループ回路間に接続され、正温度係数抵抗器を含む。
【００１１】
本発明の他の特徴は、多数のチャネルを有する多位相DC-DC変換器に関する。各チャネルは、例えば一緒に接続された低側電力スイッチと高側電力スイッチを有する電力装置を含む。パルス幅変調回路は電力装置用制御パルスを発生し、出力インダクタは電力装置と出力端子間に接続される。熱補償電流センサーを各チャネルの電力装置に接続し出力インダクタを伝導する電流に比例する感知電流を提供する。熱補償電流センサーは低側電力スイッチのオン抵抗の温度係数に一致する温度係数を有する。また、電流帰還ループ回路は熱補償電流センサーに応答して電力装置を制御するようにパルス幅変調回路と協働する。
【００１２】
多位相DC-DC変換器の他の実施形態では、熱補償電流センサーの代わりに、帰還抵抗回路網を各チャネルの制御回路の入力と出力端子間に接続する。帰還抵抗回路網は、電力装置のモニターされる電力スイッチのオン抵抗の温度係数に一致する温度係数を有する負温度係数抵抗器を含む。
【００１３】
本発明の他の特徴は、出力端子、電力スイッチ、電力スイッチ用制御パルスを発生するパルス幅変調回路、電力スイッチと出力端子間に接続された出力インダクタ、及び電力スイッチを制御するようにパルス幅変調回路と協働する電流帰還ループ回路を含むDC-DC変換器を調整する方法に関する。この方法は変換器の出力インダクタに接続された熱補償電流センサーを使用してインダクタを通る電流を感知することを含む。熱補償電流センサーは出力インダクタの温度係数に一致する温度係数を有する。さらに、電流帰還ループ回路は熱補償電流センサーに応答して少なくとも１つの電力スイッチを制御するように動作する。
【００１４】
それに代わる方法は、少なくとも１つの電力スイッチに接続された熱補償電流センサーを使用して出力インダクタを伝導する電流に比例する感知電流を提供することを含む。ここで、熱補償電流センサーは少なくとも１つの電力スイッチのオン抵抗の温度係数に一致する温度係数を有する。電流帰還ループ回路は熱補償電流センサーに応答して少なくとも１つの電力スイッチを制御する。
【００１５】
以下、添付図面を参照して、本発明を詳述する。しかしながら、本発明は多数の異なる形態で実施でき、本実施形態に限定されると解するべきではない。本実施形態は本開示が完全で当業者に発明の範囲を十分に伝えるように提供するものである。同一番号は同一素子を指す。
【００１６】
DC-DC変換器の幾つかの機能と特徴は高精度の電流の流れ情報を必要とせず、上述した固有方法は効率の利点を提供する。しかしながら、他の機能と特徴はより良い精度を必要とする。高精度を要求する例は、マイクロプロセッサ用DC-DC電力変換に発生する負荷ライン特性或いは垂下特性である。ここで、出力電圧は負荷電流が増加するにつれ減少（垂下）するようにプログラムされている。垂下特性により負荷過渡前に出力電圧が最適レベルとなるので、過渡電圧変位は最小出力キャパシタンスを有する許容レベル内にある。バルク出力キャパシタンスばかりでなく高周波数分布キャパシタンスを最小にするように精度が要求される。
【００１７】
図１は、本発明の第１の実施形態によるDC-DC変換器１０を示す。DC-DC変換器１０は制御電圧Voutを負荷２２に提供する。図示した実施形態では、DC-DC変換器１０は電圧源Vinに接続された一対の電力スイッチ、高側電力スイッチ１２と低側電力スイッチ１４を含む。他の実施形態のDC-DC変換器１０は、低側電力スイッチ１４の位置にダイオードを代わりに使用した高側電力スイッチ１２のみを含んで良い。加えて、MOSFETトランジスタを図示したが、他の半導体スイッチを使用しても良い。
【００１８】
また、DC-DC変換器１０は、スイッチドライバを含むことが好ましいパルス幅変調（ＰＷＭ）回路１６を含む。この回路部は、例えばHawkes等による米国特許第5,717,322号とHodginsによる米国特許第5,793,193号に詳述される。パルス幅変調（ＰＷＭ）回路１６は電力スイッチ１２と１４用パルス幅変調制御パルスを発生し、負荷２２に結合した出力電圧Voutを調整する。当業者は、パルス幅変調（ＰＷＭ）回路１６の構成と動作についてより詳細な説明なしで理解するだろう。
【００１９】
また、DC-DC変換器１０は、負荷２２と高側と低側電力スイッチ１２と１４間のノードとの間に結合した出力インダクタ１８を含む。また、ダイオードを接地と高側と低側電力スイッチ１２と１４間のノードとの間に接続しても良い。出力キャパシタ２０を負荷２２と並列に接続する。
【００２０】
この実施形態は出力インダクタ１８と並列に接続した電流センサー３０を提供し、インダクタを通る電流を感知する。電流センサー３０は直列に一緒に接続された抵抗器RsenとキャパシタCsenを含むことが好ましい。インダクタ１８の電流の流れ情報は、抵抗器・キャパシタ回路網にかかる電圧として再生成され得る。この方法はインダクタの巻線の固有抵抗を電流感知素子として使用する。インダクタの巻線の固有抵抗は温度係数を有する。電流センサー３０は、電流センサーに応答して電力スイッチ１２と１４を制御するようにパルス幅変調（ＰＷＭ）回路１６と協働する帰還信号処理ループ回路３２に接続される。抵抗器RsenとキャパシタCsenは、電流センサー３０が瞬時電流センサーであるようにそれぞれの値を有する。
【００２１】
重要なことは、電流センサー３０が出力インダクタ１８の温度係数に一致する温度係数を有する熱補償電流センサーであることである。負荷ライン精度は固有電流感知温度特性を補償することによって改善できる。即ち、固有電流感知素子、例えば、出力インダクタ１８の温度特性を相殺するように電流ループ利得を温度の関数として修正する。したがって、従来のインダクタ電流感知技術の欠点が解消される。
【００２２】
帰還信号処理ループ回路３２はピーク電流レベルを設定するようにピーク電流制御ループ回路と協働する電圧調整ループ回路を含んでよい。電流感知信号は帰還信号処理ループ回路３２を介して処理し、パルス幅変調（ＰＷＭ）回路１６用信号を適切に調節する。当業者は、例えば、米国特許第5,717,322号と第5,793,193号とに開示されるように、帰還信号処理ループ回路３２の多くの可能な等価変形構成について容易に理解するだろう。
【００２３】
また、DC-DC変換器１０は、電流センサー３０からの感知電流信号を使用して過負荷を防止する過負荷検出回路を含んでよい。また、DC-DC変換器１０は、例えば緩やかなスタートと傾きの補償回路部を含む追加の特徴・回路部（明確のため図示せず）を含んでよい。また、DC-DC変換器１０は、正常動作モードと不連続低電流要求モードとの間をスイッチングするヒステリシス比較器（図示せず）を含んでよい。
【００２４】
図２は本発明の他の実施形態である。ここで、DC-DC変換器１０’は電力スイッチ１２と１４に接続され出力インダクタ１８を伝導する電流に比例する感知電流を提供する熱補償電流センサー３０’を含む。ここで、熱補償電流センサー３０’は電力スイッチ１２と１４の一方、例えば低側電力スイッチ１４のオン抵抗の温度係数に一致する温度係数を有する。また、この実施形態では、熱補償電流センサー３０’は電力スイッチ１２、１４と電流帰還ループ回路３２間に接続され、正温度係数抵抗器を含む。
【００２５】
上述及び米国特許第6,246,220号に開示されるように、Rds(on)方法はMOSFETの伝導間隔中の電圧降下をサンプリングして電流の流れ情報を再生成する。この例では、仮想接地を含む帰還信号処理ループ回路３２に接続された抵抗器Rsenを使用して低側MOSFET１４にかかる電圧をサンプリングする。感知電流(Isen)はインダクタ電流(Il)に比例する。即ち、Isen=Il*(Rds/Rsen)。MOSFETの温度が増加すると、そのRds(on)は増加し、それに対応して感知電流(Isen)が増加する。Isen信号はシステム内で更に処理され、MOSFETの温度の関数となる負荷ライン特性を提供する。
【００２６】
Isen信号は、適当な熱特性を有するRsen抵抗器を選択することにより熱的に補償できる。例えば、MOSFETのRds(on) 温度係数に一致する正温度係数の抵抗器を選択することによりIsenと垂下電圧のMOSFET温度依存性は最小になる。
【００２７】
図３は、電力スイッチ、例えばMOSFETのオン抵抗(Rds(on))を電流感知素子として利用する従来のDC-DC変換器の典型的な負荷ライン仕様とRSS（根二乗和）許容範囲解析を示す。分析は、基準（reference）、電圧設定抵抗器、及びMOSFETパラメータによる変動を含む。最大変動はMOSFETの温度特性による。
【００２８】
図４は、本発明の熱補償を有するDC-DC変換器のRSS許容範囲解析を示す。最小と最大負荷ラインは仕様内にある。
【００２９】
図５は、第１と第２のチャネルを有する多位相DC-DC変換器４０を示す。各チャネルは、例えば一緒に接続された低側電力スイッチ１４と高側電力スイッチ１２を有する電力装置を含む。パルス幅変調回路１６は電力装置用制御パルスを発生し、出力インダクタ１８は電力装置と出力端子間に接続される。多位相電力変換器では、正温度係数抵抗器は各電力チャネル上に必要である。従って、熱補償電流センサーRsen1, Rsen2はそれぞれの出力インダクタを伝導する電流に比例する感知電流を提供するように各チャネルの電力装置に接続される。熱補償電流センサーRsen1, Rsen2は低側電力スイッチ１４のオン抵抗の温度係数に一致する温度係数を有する。
【００３０】
図６に示す他の実施形態では、多位相DC-DC変換器４０'は、帰還抵抗回路網Rfbを各チャネルのパルス幅変調回路或いは制御回路の入力と出力端子間に接続する。帰還抵抗回路網Rfbは、電力装置の低側電力スイッチ１４のオン抵抗の温度係数に一致する温度係数を有する負温度係数抵抗器Rntcを含む。
【００３１】
このアプローチは、負温度係数抵抗器Rntcを使用して電流感知の熱的影響を補償する。この実施形態は、正温度係数補償方法と比較して、多位相DC-DC変換器の温度補正に１つの負温度係数装置を使用する。図５の実施形態の抵抗器Rfbは、負温度係数抵抗器回路網Rfbに置き換えられIsen信号の補正を提供する。負温度係数抵抗器は通常、非線形熱特性を有する。図６に示すように、接続された標準抵抗器回路網４２を使用して抵抗を所望の温度に亘って線形化できる。
【００３２】
本発明の他の特徴は、電力スイッチ１２と１４、電力スイッチ用制御パルスを発生するパルス幅変調回路１６、出力インダクタ１８、及びパルス幅変調回路１６と協働する帰還信号処理回路３２を含むDC-DC変換器10, 10'を調整する方法に関する。この方法は変換器の出力インダクタ１８に並列に接続された熱補償電流センサー３０を使用してインダクタ１８を通る電流を感知することを含む。熱補償電流センサー３０は出力インダクタ１８の温度係数に一致する温度係数を有する。さらに、電流帰還ループ回路３２は熱補償電流センサー３０に応答して電力スイッチ１２と１４を制御するように動作する。電流センサー３０は直列に一緒に接続された抵抗器RsenとキャパシタCsenを含むことが好ましい。
【００３３】
それに代わる方法は、電力スイッチに接続された熱補償電流センサー３０'（図２）を使用して出力インダクタ１８を伝導する電流に比例する感知電流を提供することを含む。ここで、熱補償電流センサー３０'は１つの電力スイッチのオン抵抗の温度係数に一致する温度係数を有する。電流帰還ループ回路３２は熱補償電流センサー３０'に応答して少なくとも１つの電力スイッチを制御する。
【００３４】
全ての上述の実施形態は、インダクタ巻線電流感知方法、或いはRds(on)電流感知方法に適用できる。
【００３５】
本発明の多数の修正及び他の実施形態は、上記の説明及び関連した図面に提示した示唆の利益を有する当業者には想到することである。従って、本発明は開示した特定の実施形態に限定されることなく、修正及び実施形態は特許請求の範囲内に含まれる。
【図面の簡単な説明】
【００３６】
【図１】本発明のDC-DC変換器の概略図である。
【図２】本発明のDC-DC変換器の第２の実施形態の概略図である。
【図３】熱補償無しの従来のDC-DC変換器の負荷ライン特性を示すグラフである。
【図４】図２のDC-DC変換器の負荷ライン特性を示すグラフである。
【図５】本発明の多位相DC-DC変換器の概略図である。
【図６】図５の本発明の多位相DC-DC変換器の他の実施形態の概略図である。
【図１】
2005500795.tif 000003
【図２】
2005500795.tif 000004
【図３】
2005500795.tif 000005
【図４】
2005500795.tif 000006
【図５】
2005500795.tif 000007
【図６】
2005500795.tif 000008
【国際公開パンフレット】
2005500795.tif 000009
2005500795.tif 000010
2005500795.tif 000011
2005500795.tif 000012
2005500795.tif 000013
2005500795.tif 000014
2005500795.tif 000015
2005500795.tif 000016
2005500795.tif 000017
2005500795.tif 000018
2005500795.tif 000019
2005500795.tif 000020
2005500795.tif 000021
2005500795.tif 000022
2005500795.tif 000023
2005500795.tif 000024
2005500795.tif 000025
2005500795.tif 000026
2005500795.tif 000027
2005500795.tif 000028
2005500795.tif 000029
2005500795.tif 000030
2005500795.tif 000031
2005500795.tif 000032
2005500795.tif 000033
2005500795.tif 000034
2005500795.tif 000035
【国際公開パンフレット（コレクトバージョン）】
2005500795.tif 000036
2005500795.tif 000037
【国際調査報告】
2005500795.tif 000038
2005500795.tif 000039
2005500795.tif 000040